(57)【要約】【課題】商品に付属品を添付するためのコストを削減する。【解決手段】商品添付用の複数の栄養剤パック１１を備える付属品群１０であって、複数の栄養剤パック１１に対向する保持テープ１２と、栄養剤パック１１と保持テープ１２との間に設けられる粘着部１４と、を有し、栄養剤パック１１と粘着部１４との粘着力は、保持テープ１２と粘着部１４との粘着力よりも強い。これにより、商品に栄養剤パック１１を添付するためのコストを削減することができる。【選択図】図５
2016078869.tif 000002
【特許請求の範囲】
【請求項１】
商品添付用の複数の付属品を備える付属品群であって、
前記複数の付属品に対向する保持部材と、
前記付属品と前記保持部材との間に設けられる粘着部と、
を有し、
前記付属品と前記粘着部との粘着力は、前記保持部材と前記粘着部との粘着力よりも強い、付属品群。
【請求項２】
請求項１記載の付属品群において、
前記保持部材から前記付属品を剥がしたときに、前記粘着部は前記付属品に付着する、付属品群。
【請求項３】
請求項１または２記載の付属品群において、
前記粘着部として、複数の粘着片が設けられ、
前記粘着片は、前記付属品のそれぞれと前記保持部材との間に設けられる、付属品群。
【請求項４】
請求項１〜３のいずれか１項に記載の付属品群において、
前記付属品は、切花の包装材に添付される栄養剤パックまたはカードである、付属品群。
【発明の詳細な説明】
【技術分野】
【０００１】
本発明は、商品添付用の付属品を備える付属品群に関する。
【背景技術】
【０００２】
商品を販売する際には、販促品等の付属品を商品に添付することがある。例えば、切花を販売する際には、付属品として、切花栄養剤が収められた栄養剤パック等を添付することが多い。このように、栄養剤パック等の付属品を添付する際には、粘着テープ等を用いて付属品を貼り付けることが一般的である。しかしながら、作業者が粘着テープ等を用いて付属品を貼り付けることは、付属品の貼り付けに伴う作業コストを増加させる要因である。そこで、付属品の取付作業を簡単にして作業コストを抑制するため、付属品を収納するためのポケット部を備えた包装材が開発されている（特許文献１参照）
【先行技術文献】
【特許文献】
【０００３】
【特許文献１】実用新案登録第３１０５６０３号公報
【発明の概要】
【発明が解決しようとする課題】
【０００４】
しかしながら、包装材に付属品用のポケット部を形成することは、たとえ作業コストが抑制されたとしても、付属品の取り付けに伴う資材コストを増加させる要因である。このため、総合的な観点から商品に付属品を添付する際のコスト削減が求められている。
【０００５】
本発明の目的は、商品に付属品を添付するためのコストを削減することにある。
【課題を解決するための手段】
【０００６】
本発明の付属品群は、商品添付用の複数の付属品を備える付属品群であって、前記複数の付属品に対向する保持部材と、前記付属品と前記保持部材との間に設けられる粘着部と、を有し、前記付属品と前記粘着部との粘着力は、前記保持部材と前記粘着部との粘着力よりも強い。
【発明の効果】
【０００７】
本発明によれば、保持部材によって複数の付属品が保持されるため、複数の付属品を１つの付属品群として纏めることができ、複数の付属品の管理や取り扱いが容易である。しかも、付属品と粘着部との粘着力は、保持部材と粘着部との粘着力よりも強いため、保持部材から剥がされた付属品には粘着部が付着することになる。これにより、付属品群から剥がした付属品を、簡単に商品に取り付けることが可能である。このように、複数の付属品の管理や取り扱いが容易になり、付属品の取付作業が容易になるため、商品に付属品を添付する際のコストを削減することが可能である。
【図面の簡単な説明】
【０００８】
【図１】（ａ）は本発明の一実施の形態である付属品群を示す正面図であり、（ｂ）は付属品群を示す背面図である。
【図２】付属品群の製造過程を示す説明図である。
【図３】図１（ａ）の矢印α方向から付属品群を示す側面図である。
【図４】（ａ）および（ｂ）は、付属品群から栄養剤パックが剥がされる過程を示す説明図である。
【図５】切花の包装材に対する栄養剤パックの取付作業を示す説明図である。
【図６】（ａ）は本発明の他の実施の形態である付属品群を示す正面図であり、（ｂ）は付属品群を示す背面図である。
【図７】本発明の他の実施の形態である付属品群を示す正面図である。
【図８】（ａ）は本発明の他の実施の形態である付属品群を示す正面図であり、（ｂ）は付属品群を示す背面図である。
【図９】（ａ）および（ｂ）は、本発明の他の実施の形態である付属品群の製造過程を示す説明図である。
【発明を実施するための形態】
【０００９】
以下、本発明の実施の形態を図面に基づいて詳細に説明する。図１（ａ）は本発明の一実施の形態である付属品群１０を示す正面図であり、図１（ｂ）は付属品群１０を示す背面図である。また、図２は付属品群１０の製造過程を示す説明図であり、図３は図１（ａ）の矢印α方向から付属品群１０を示す側面図である。
【００１０】
図１（ａ）および（ｂ）に示すように、付属品群１０は、商品添付用の付属品として、複数の栄養剤パック１１を備えている。この栄養剤パック１１には、切花の栄養源である糖類等を含有する液状の切花栄養剤が封入されている。切花の加工場や切花の販売店等においては、作業者によって、図示する付属品群１０から栄養剤パック１１が取り外され、取り外された栄養剤パック１１が切花の包装材に貼り付けられる。なお、栄養剤パック１１に封入される切花栄養剤は、切花を美しい状態で長持ちさせるため、花器内の水に溶かして使用される栄養剤である。
【００１１】
図１（ａ）および（ｂ）に示すように、付属品群１０は、複数の栄養剤パック１１に対向する保持テープ（保持部材）１２を備えている。また、付属品群１０は、栄養剤パック１１と保持テープ１２との間に、複数の粘着片１３によって構成される粘着部１４を備えている。すなわち、１つの保持テープ１２には、粘着部１４を介して複数の栄養剤パック１１が保持されている。このように、複数の栄養剤パック１１が１つの付属品群１０として纏められることから、多数の栄養剤パック１１を扱う作業場や販売店等において、栄養剤パック１１の管理や取り扱いが極めて容易となる。これにより、栄養剤パック１１の商品添付にかかるコストを削減することができる。なお、図２（ａ）に示すように、付属品群１０を製造する際には、保持テープ１２に対して所定間隔毎に粘着片１３が貼り付けられ、各粘着片１３に対して栄養剤パック１１が貼り付けられる。
【００１２】
図３の拡大部分に示すように、保持テープ１２と栄養剤パック１１とは、粘着片１３を介して貼り付けられている。この粘着片１３を構成する粘着剤としては、例えば、ゴム系粘着剤、アクリル系粘着剤、シリコーン系粘着剤、またはウレタン系粘着剤が用いられる。なお、粘着片１３としては、粘着剤だけで構成された粘着片を採用しても良く、樹脂フィルム等の両面に粘着剤が塗布された粘着片を採用しても良い。また、保持テープ１２の表面には、図示しないシリコーン樹脂等からなる剥離層が形成されている。すなわち、保持テープ１２は剥離テープとして機能するため、栄養剤パック１１と粘着片１３との粘着力は、保持テープ１２と粘着片１３との粘着力よりも強く設定されている。なお、栄養剤パック１１は、ポリエチレン等の樹脂フィルムを用いて形成されている。
【００１３】
続いて、付属品群１０から栄養剤パック１１を剥がす際の状況について説明する。図４（ａ）および（ｂ）は付属品群１０から栄養剤パック１１が剥がされる過程を示す説明図である。図４（ａ）に示すように、切花の包装材に栄養剤パック１１を貼り付ける作業者は、付属品群１０から選択した栄養剤パック１１の端部を摘まみ、めくり上げるように栄養剤パック１１を保持テープ１２から引き離す。ここで、前述したように、栄養剤パック１１と粘着片１３との粘着力は、保持テープ１２と粘着片１３との粘着力よりも強く設計されている。したがって、図４（ｂ）に示すように、付属品群１０の保持テープ１２から離れた栄養剤パック１１には、保持テープ１２から離れた粘着片１３が付着する。すなわち、付属品群１０の保持テープ１２から、栄養剤パック１１と共に粘着片１３が離れることになる。
【００１４】
ここで、図５は切花の包装材Ｓに対する栄養剤パック１１の取付作業を示す説明図である。前述したように、付属品群１０から剥がされた栄養剤パック１１には、粘着片１３が付着している。このため、図５に示すように、栄養剤パック１１を包装材Ｓに貼り付ける作業としては、付属品群１０から栄養剤パック１１を剥がした後に、そのまま栄養剤パック１１を包装材Ｓに貼り付けるという極めて簡単な作業になる。このように、栄養剤パック１１を包装材Ｓに貼り付ける際には、栄養剤パック１１に粘着テープ等を貼り付けたりする必要がなく、栄養剤パック１１の取付作業を極めて簡単に行うことができる。これにより、栄養剤パック１１を包装材Ｓに添付する際のコストを削減することができる。
【００１５】
また、図３に示すように、付属品群１０においては、隣接する栄養剤パック１１が互いに重ねられている。これにより、多くの栄養剤パック１１を備えた付属品群１０を、コンパクトにまとめることができる。さらに、図３に示すように、付属品群１０の保持テープ１２は、紙や樹脂フィルム等の柔軟性を有する基材を用いて構成されている。これにより、複数の栄養剤パック１１を重ねて保持テープ１２に貼り付ける場合であっても、保持テープ１２を自在に曲げることができるため、付属品群１０をコンパクトにまとめることができる。
【００１６】
前述の説明では、付属品として栄養剤パック１１を用いているが、これに限られることはない。ここで、図６（ａ）は本発明の他の実施の形態である付属品群２０を示す正面図であり、図６（ｂ）は付属品群２０を示す背面図である。なお、図６において、図１に示す部材と同様の部材については、同一の符号を付してその説明を省略する。
【００１７】
図６（ａ）および（ｂ）に示すように、付属品群２０は、商品添付用の付属品として、複数のメッセージカード（カード）２１を備えている。また、付属品群２０は、複数のメッセージカード２１に対向する保持テープ１２を備えており、メッセージカード２１と保持テープ１２との間に複数の粘着片１３からなる粘着部１４を備えている。すなわち、１つの保持テープ１２には、粘着部１４を介して複数のメッセージカード２１が保持されている。このように、複数のメッセージカード２１が１つの付属品群２０として纏められることから、多数のメッセージカード２１を扱う作業場や販売店等において、メッセージカード２１の管理や取り扱いが極めて容易となる。また、メッセージカード２１を切花の包装材Ｓに貼り付ける作業としては、付属品群２０からメッセージカード２１を剥がした後に、そのままメッセージカード２１を包装材Ｓに貼り付けるという極めて簡単な作業である。これにより、メッセージカード２１を包装材Ｓに添付する際のコストを削減することができる。
【００１８】
前述の説明では、図１に示すように、複数の栄養剤パック１１を１列に連ねているが、これに限られることはない。図７は本発明の他の実施の形態である付属品群３０を示す正面図である。なお、図７において、図１に示す部材と同様の部材については、同一の符号を付してその説明を省略する。
【００１９】
図７に示すように、付属品群３０は、複数の栄養剤パック１１と、これに対向する保持シート（保持部材）３１とを備えている。また、付属品群３０は、栄養剤パック１１と保持シート３１との間に、複数の粘着片１３によって構成される粘着部１４を備えている。図示するように、複数の栄養剤パック１１が縦方向と横方向とに配置される場合であっても、前述した付属品群１０と同様の効果を得ることが可能である。なお、保持シート３１の表面には、図示しないシリコーン樹脂等からなる剥離層が形成されている。これにより、栄養剤パック１１と粘着片１３との粘着力は、保持シート３１と粘着片１３との粘着力よりも強く設定されている。
【００２０】
前述の説明では、図１に示すように、付属品群１０を構成する粘着部１４として、保持テープ１２に複数の粘着片１３を設けているが、これに限られることはない。図８（ａ）は本発明の他の実施の形態である付属品群４０を示す正面図であり、図８（ｂ）は付属品群４０を示す背面図である。なお、図８において、図１に示す部材と同様の部材については、同一の符号を付してその説明を省略する。
【００２１】
図８（ａ）および（ｂ）に示すように、付属品群４０は、栄養剤パック１１と保持テープ１２との間に、細長い形状の粘着部４１を備えている。図示するように、複数の栄養剤パック１１に跨がって１つの粘着部４１が設けられる場合であっても、前述した付属品群１０と同様の効果を得ることが可能である。この場合には、付属品群４０から栄養剤パック１１を剥がす際に、栄養剤パック１１に付着していた粘着部４１の一部が他の粘着部４１からちぎれ、そのまま栄養剤パック１１に付着することになる。これにより、前述した付属品群１０と同様に、栄養剤パック１１の取付作業を極めて簡単に行うことができる。
【００２２】
前述の説明では、図２に示すように、付属品群１０を製造する際には、保持テープ１２に対して粘着片１３が貼り付けた後に、各粘着片１３に栄養剤パック１１を貼り付けているが、これに限られることはない。図９（ａ）および（ｂ）は本発明の他の実施の形態である付属品群５０の製造過程を示す説明図である。なお、図９において、図１に示す部材と同様の部材については、同一の符号を付してその説明を省略する。
【００２３】
図９（ａ）に示すように、付属品群５０は、ミシン目等を介して１列に連なる複数の栄養剤パック１１を備えている。そして、付属品群５０を製造する際には、図９（ａ）に示すように、それぞれの栄養剤パック１１に対して粘着片１３が貼り付けられ、図９（ｂ）に示すように、全ての粘着片１３に対して１つの保持テープ１２が貼り付けられる。このような付属品群５０であっても、前述した付属品群１０と同様の効果を得ることが可能である。
【００２４】
本発明は前記実施の形態に限定されるものではなく、その要旨を逸脱しない範囲で種々変更可能であることはいうまでもない。例えば、図１に示す場合には、付属品として、１０個の栄養剤パック１１を設けているが、付属品群１０を構成する付属品の個数としては、２個以上であればいくつであっても良い。また、付属品の個数が増えて付属品群１０が長く形成される場合には、付属品群１０を巻き取ってロール状に構成しても良い。また、前述の説明では、付属品として、切花の包装材Ｓに添付される栄養剤パック１１やメッセージカード２１を例示しているが、これらに限られることはない。例えば、付属品として、ペットボトル等の飲料容器に添付される販促品を採用しても良い。
【００２５】
図示する場合には、１つの栄養剤パック１１やメッセージカード２１に対して１つの粘着片１３を設けているが、これに限られることはなく、１つの栄養剤パック１１やメッセージカード２１に対して複数の粘着片１３を設けても良い。また、粘着片１３としては、保持テープ１２や栄養剤パック１１に対して貼り付けるだけでなく、保持テープ１２や栄養剤パック１１に対して塗布しても良い。さらに、前述の説明では、保持テープ１２から栄養剤パック１１を剥がす際に、栄養剤パック１１に粘着片１３が付着しているが、粘着片１３の一部が保持テープ１２に残されていても良いことはいうまでもない。
【符号の説明】
【００２６】
１０    付属品群
１１    栄養剤パック（付属品）
１２    保持テープ（保持部材）
１３    粘着片（粘着部）
１４    粘着部
２０    付属品群
２１    メッセージカード（付属品，カード）
３０    付属品群
３１    保持シート（保持部材）
４０    付属品群
４１    粘着部
５０    付属品群
Ｓ    包装材
【図１】
2016078869.tif 000003
【図２】
2016078869.tif 000004
【図３】
2016078869.tif 000005
【図４】
2016078869.tif 000006
【図５】
2016078869.tif 000007
【図６】
2016078869.tif 000008
【図７】
2016078869.tif 000009
【図８】
2016078869.tif 000010
【図９】
2016078869.tif 000011